(57)【要約】      （修正有）【課題】安定的で強固に連接する長さ調整折畳みステッキを提供する。【解決手段】ステッキ１０は、二段以上の桿体が連接され、桿体の間は弾性引き紐２０で維持し、グリップ１１を連接した桿体は第一桿体１２と第二桿体１３に分かれ、第一桿体１２上端にグリップ１１を連接し、第二桿体１３は弾性引き紐２０で繋ぐ。第一桿体１２と第二桿体１３の間は長さ調整するために伸縮して嵌合し、第二桿体１３の嵌合端上には径方向外向き凸の弾性の定位ボタン１３１を設置し、第一桿体１２の周壁上には異なる高さの定位孔を設置し、第二桿体１３を插入した時、その定位ボタン１３１の凸部が掛合する。第一桿体１２の嵌合端部外周には収拾ヘッド１２２を設置し、第二桿体１３の対応部位の外周を収拾して挟持圧縮し後方の相互に接続する桿体のうち、各桿体の接続端に円柱段１４を設置し、円柱段１４は別の桿体の中孔内に嵌入し、円柱段１４の根部に段差１５を成形して別の桿体の端面で支持し、円柱段１４にＯ形リング１６を設ける。【選択図】図１
0003211537.tif 000002
【実用新案登録請求の範囲】
【請求項１】
ステッキは、二段もしくは二段以上の桿体が連接されて形成し、桿体の間は弾性引き紐で維持し、ステッキ上端にはグリップを有し、グリップを連接した桿体は第一桿体と第二桿体に分かれ、第一桿体上端にグリップを連接し、第二桿体は弾性引き紐で繋ぎ、第一桿体と第二桿体の間は長さ調整するために伸縮して嵌合し、且つ第二桿体の嵌合端上には径方向外向き凸の弾性の定位ボタンを設置し、第一桿体の周壁上には異なる高さの定位孔を設置し、第二桿体を插入する時、その定位ボタンの凸部で掛合し、長さの伸縮を調整し、第一桿体の嵌合端部外周には収拾ヘッドを設置し、収拾ヘッドの一端の内孔は口が小さく、内部が大きい錐形で、その錐形面上にはネジ紋を設置し、第一桿体端部外周には収拾ヘッド上のネジ紋と相互に噛み合うネジ紋を設置し、且つネジ紋段には軸方向に沿った切開槽を数個設置し、収拾ヘッドはネジ紋で第一桿体端部外周のネジ紋に噛み合い、第一桿体端部内周を回転収縮させて第二桿体の対応部位の外周を収拾して挟持圧縮する長さ調整折畳みステッキにおいて、
第二桿体の後方の相互に接続する桿体のうち、各桿体の接続端に円柱段を設置し、該円柱段は別の桿体の中孔内に嵌入し、且つ円柱段の根部に段差を成形して別の桿体の端面で支持し、円柱段にＯ形リングを設置することを特徴とする長さ調整折畳みステッキ。
【請求項２】
前記第二桿段の定位ボタン錐形の定位段を備え、該定位段から第一桿段上の定位孔に挿入して掛合し、錐形定位段の外径は外から内向きに徐々に大きくなり、且つ定位段の最大外径は第一桿段上の定位孔の孔径より大きいことを特徴とする請求項１記載の長さ調整折畳みステッキ。
【請求項３】
前記収拾ヘッドは、プラスチック材から製造されることを特徴とする請求項１記載の長さ調整折畳みステッキ。
【請求項４】
前記ステッキの桿体間の接続は円筒式接続で、即ち相互接続の桿体のうち、一桿体の接続端には円柱段を設置し、該円柱段は別の桿体の中孔内に嵌入し、且つ円柱段の根部に段差を成形して別の桿体の端面で支持し、円柱段上には膨張収縮するエンタシスヘッドを設置し、該エンタシスヘッドは逆切開槽を復数有することを特徴とする請求項１記載の長さ調整折畳みステッキ。
【考案の詳細な説明】
【技術分野】
【０００１】
本考案は、日用品技術領域に関し、特に長さ調整折畳みステッキに係る。
【背景技術】
【０００２】
ステッキは、主に歩行者の補助に用いる。異なる使用者は身長も異なるため、使用するステッキの長さ異なり、故に折り畳め、伸縮するステッキが市場に出ている。折り畳んで収拾及び携帯でき、且つ必要に応じてステッキの使用する長さを調整することで、異なる身長の人々に対応できる。
従来のステッキの収縮定位調整は、第二桿体を第一桿体の中孔内に挿入し、第二桿体上には径方向外向きに弾性の定位ボタンを設置し、第一桿体上には異なる高さの定位孔を設置し、第二桿体に挿入した時、その定位ボタンが突出して定位し、長短伸縮を実現する。多段桿体で連接するものは、相互間で使用する際、必ず一致しなければならない。
つまり、各段桿体の連接では揺れてはならない。そのため、第二桿体の嵌入端上にＯ形リングを設置し、第一桿体の嵌入端の外周には収拾ヘッドを設置し、第二桿体之対応部位の外周を締めて圧するものがある（例として特許文献１を示す）。
【先行技術文献】
【特許文献】
【０００３】
【特許文献１】中国実用新案登録第２００８２０２３４８４８.０号
【考案の概要】
【考案が解決しようとする課題】
【０００４】
解決しようとする問題点は、使用において、第二桿体の嵌入端の範囲が非常に狭小であるため、弾性引き紐、円弧面取り等が必要であり非常に不便である点である。
【課題を解決するための手段】
【０００５】
本考案は、該ステッキが二段もしくは二段以上の桿体が連接されて形成し、桿体の間は弾性引き紐で維持し、ステッキ上端にはグリップを有する。グリップを連接した桿体は第一桿体と第二桿体に分かれ、第一桿体上端にグリップを連接し、第二桿体は弾性引き紐で繋ぐ。第一桿体と第二桿体の間は長さ調整するために伸縮して嵌合し、且つ第二桿体の嵌合端上には径方向外向き凸の弾性の定位ボタンを設置し、第一桿体の周壁上には異なる高さの定位孔を設置し、第二桿体を插入した時、その定位ボタンの凸部が掛合する。
第一桿体の嵌合端部外周には収拾ヘッドを設置し、第二桿体の対応部位の外周を収拾して挟持圧縮し、第二桿体の後方の相互に接続する桿体のうち、各桿体の接続端に円柱段を設置し、該円柱段は別の桿体の中孔内に嵌入し、且つ円柱段の根部に段差を成形して別の桿体の端面で支持し、円柱段にＯ形リングを設置することを最も主要な特徴とする。
【考案の効果】
【０００６】
本考案の長さ調整折畳みステッキは、第二桿体の嵌入端上にＯ形リングの設置を止め、直接第一桿体上の収拾ヘッドによって第二桿体の対応部位の外周に収拾して挟持圧縮し、連接を強化し、更にしっかりと連接する。
また、製作コストを下げ、構造を簡素化した。第二桿体の後方の相互に接続する桿体のうち、Ｏ形リングが両桿段の間の嵌合緊密性を高め、揺れにくく、収拾ヘッドが連接を高め、更に安定的で強固に連接するという利点がある。
【図面の簡単な説明】
【０００７】
【図１】本考案の構造指示図である。
【図２】本考案の長さ調整構造指示図である。
【図３】図２の局部構造指示図である。
【図４】本考案の桿体の間の接続構造指示図である。
【図５】本考案の収拾ヘッド使用状態指示図である。
【図６】本考案における別の実施例の指示図である。
【図７】図６の局部構造拡大指示図である。
【考案を実施するための形態】
【０００８】
安定して定位し、使用性能を向上させる長さ調整折畳みステッキを提供することを本考案の目的とする。
【０００９】
上述の目的を達成するため、本考案は以下の技術を採用する。
【００１０】
長さ調整折畳みステッキは、該ステッキ二段もしくは二段以上の桿体が連接されて形成し、桿体の間は弾性引き紐で維持し、ステッキ上端にはグリップを有する。
グリップを連接した桿体は第一桿体と第二桿体に分かれ、第一桿体上端にグリップを連接する。第二桿体は弾性引き紐で繋ぎ、第一桿体と第二桿体の間は長さ調整するために伸縮して嵌合し、且つ第二桿体の嵌合端上には径方向外向き凸の弾性の定位ボタンを設置する。第一桿体の周壁上には異なる高さの定位孔を設置し、第二桿体を插入する時、その定位ボタンの凸部で掛合し、長さの伸縮を調整する。第一桿体の嵌合端部外周には収拾ヘッドを設置し、収拾ヘッドの一端の内孔は口が小さく、内部が大きい錐形で、その錐形面上にはネジ紋を設置する。第一桿体端部外周には収拾ヘッド上のネジ紋と相互に噛み合うネジ紋を設置し、且つネジ紋には軸方向に沿った切開槽を数個設置する。
収拾ヘッドはネジ紋で第一桿体端部外周のネジ紋に噛み合い、第一桿体端部の内周を回転収縮させて第二桿体の対応部位の外周を収拾して挟持圧縮し、第二桿体の後方の相互に接続する桿体のうち、各桿体の接続端に円柱段を設置し、該円柱段は別の桿体の中孔内に嵌入し、且つ円柱段の根部に段差を成形して別の桿体の端面で支持し、円柱段にＯ形リングを設置する。
【００１１】
該第二桿体の定位ボタンは錐形の定位段を備え、該定位段から第一桿体上の定位孔に挿入して掛合し、錐形定位段の外径は外から内向きに徐々に大きくなり、且つ定位段の最大外径は第一桿体上の定位孔の孔径より大きい。
【００１２】
該収拾ヘッドは、プラスチック材から製造され、膨張収縮性を備え、第二桿体の対応部位の外周を収拾して挟持圧縮することで、連接を強化してさらにしっかり連接する。
【００１３】
ステッキの桿体間の接続は円筒式接続で、即ち相互接続の桿体のうち、一桿体の接続端には円柱段を設置する。該円柱段は別の桿体の中孔内に嵌入し、且つ円柱段の根部に段差を成形して別の桿体の端面で支持し、円柱段上には膨張収縮するエンタシスヘッドを設置し、該エンタシスヘッドは逆切開槽を復数有する。
【実施例１】
【００１４】
図１〜５に示すとおり、本考案の該ステッキ１０は、二段もしくは二段以上の桿体が連接されて形成し、桿体の間は弾性引き紐２０によって維持され、弾性引き紐２０が桿体内部を通過することでステッキの連接成形使用と折畳み保存が実現される。使用時、弾性引き紐２０維持に拠って桿体が真っ直ぐに連接され、ステッキが形成される。反対に使用しない時には、弾性引き紐２０の弾性によって、各桿体が分解され相対して折り畳まれる（図１参照）。
【００１５】
ステッキ上端は、グリップ１１である。グリップが連接される桿体は第一桿体１２と第二桿体１３に分かれる。第一桿体１２上端は、グリップ１１を連接し、第二桿体１３は弾性引き紐２０を接続し、第一桿体１２と第二桿体１３の間は長さ調整に伸縮嵌合し、且つ第二桿体１３の嵌合端上には径方向外向き凸の弾性の定位ボタン１３１を設置し、第一桿体の周壁上には異なる高さの定位孔１２１を設置することで第二桿体を插入する時、その定位ボタンの凸部で掛合し、長さの伸縮を調整する。即ち、第二桿体１３の嵌入の深さに拠ってステッキの長さ調節を達成する。
第一桿体１２の嵌合端部外周には収拾ヘッド１２２を設置し、収拾ヘッド１２２の一端の内孔は口が小さく、内部が大きい錐形で、その錐形面上にはネジ紋１２２１を設置する。
第一桿体１２端部外周には収拾ヘッド１２２上のネジ紋１２２１と相互に噛み合うネジ紋１２３を設置し、且つネジ紋１２３段には軸方向に沿った切開槽１２４を数個設置する。
収拾ヘッド１２２は、ネジ紋１２２１を第一桿体１２端部外周のネジ紋１２３に噛み合わせ、第一桿体１２端部内周を回転して第二桿体１３の相対部位の外周を挟持圧縮し、第二桿体１３の後方相互接続の桿体において、各桿体の接続端には円柱段１４を設置し、該円柱段は別の桿体の中孔内に嵌入し、且つ円柱段の根部には段差１５を成形して別の桿体の端面で支持し、円柱段にＯ形リング１６を設置する。
【００１６】
図２、３に示すとおり、第二桿体の定位ボタン１３１は、錐形の定位段１３１１を備え、該定位段から第一桿段上の定位孔１２１に挿入して掛合し、錐形定位段１３１１の外径は外から内向きに徐々に大きくなり、且つ定位段１３１１の最大外径は第一桿段上の定位孔の孔径より大きい。
【００１７】
収拾ヘッド１２２は、プラスチック材から製造され、膨張収縮性を備え、第二桿体の対応部位の外周を収拾して挟持圧縮することで、連接を強化し、更にしっかりと連接する。
【実施例２】
【００１８】
図６、７に示すとおり、本考案は更に以下の実施方式がある。ステッキの桿体間の接続は円筒式接続で、それは即ち、相互接続の桿体のうち、一桿体の接続端には円柱段１４を成形する。該円柱段１４を別の桿体の中孔内に嵌入し、且つ円柱段の根部に段差１５を成形して別の桿体の端面で支持し、円柱段１４上には膨張収縮するエンタシスヘッド１７を設置し、該エンタシスヘッド１７は復数の逆切開槽１７１を有する。エンタシスヘッド１７は、円柱段１４と共に成型するか、もしくは一つに連接して組み合わせる。エンタシスヘッド１７は、膨張収縮弾性を備え、円柱段１４によって中孔ときつく嵌合し、緩みにくい。
【００１９】
仮に折畳みステッキが第一桿体１２と第二桿体１３だけから構成する場合、収拾ヘッド１２２で連接、もしくはエンタシスヘッドの方式での連接を採用でき、それはどちらも本考案技術の請求範囲内とする。
【符号の説明】
【００２０】
１０        ステッキ
１１        グリップ
１２        第一桿体
１２１        定位孔
１２２        収拾ヘッド
１２２１        ネジ紋
１２３        ネジ紋
１２４        切開槽
１３        第二桿体
１３１        定位ボタン
１３１１        定位段
１４        円柱段
１５        段差
１６        Ｏ形リング
１７        エンタシスヘッド
１７１        逆切開槽
２０        弾性引き紐
【図１】
0003211537.tif 000003
【図２】
0003211537.tif 000004
【図３】
0003211537.tif 000005
【図４】
0003211537.tif 000006
【図５】
0003211537.tif 000007
【図６】
0003211537.tif 000008
【図７】
0003211537.tif 000009